(57)【特許請求の範囲】
【請求項１】
通話を要求する発信信号が第１の端末装置から送信されて、呼制御装置において受信された前記発信信号が着信信号に変換されて、前記呼制御装置から無線により送信された前記着信信号を受信する端末装置において、
前記着信信号を受信した後、所定時間経過後、前記着信信号に含まれる前記端末装置の識別情報を含む着信情報を、前記端末装置に代わり前記第１の端末装置と通話を行う第２の端末装置に対して超音波により出力する超音波出力部
を備えることを特徴とする端末装置。
【請求項２】
第１の端末装置の第２の端末装置宛ての着信をピックアップして前記第２の端末装置に代わり前記第１の端末装置と通話を行う端末装置において、
前記第２の端末装置において前記第２の端末装置宛の着信信号を受信した後、所定時間経過後に前記第２の端末装置から超音波により送信された、前記第２の端末装置の識別情報を含む着信情報を受信する超音波受信部と、
前記着信情報を受信したとき、前記第２の端末装置に代わり前記第１の端末装置と通話を行うことを要求するピックアップ要求信号を呼制御装置に無線により送信する信号送信部と
を備えることを特徴とする端末装置。
【請求項３】
第１の端末装置から送信され、第２の端末装置に通話を要求する発信信号を受信して、前記発信信号を着信信号に変換し、変換された前記着信信号を無線により前記第２の端末装置に送信する呼制御装置において、
前記第２の端末装置において前記着信信号を受信した後、所定時間経過後に前記第２の端末装置から超音波により出力された着信情報を受信した第３の端末装置から、前記第２の端末装置に代わり前記第１の端末装置と通話を要求するピックアップ要求信号を無線により受信する信号受信部と、
前記ピックアップ要求信号に対して、前記第３の端末装置に対して前記第２の端末装置に代えて前記第１の端末装置との通話を許可するピックアップ要求応答信号を送信し、前記第２の端末装置に対して前記着信信号の受信を取消す着信取消信号を無線により送信する信号送信部と
を備えることを特徴とする呼制御装置。
【請求項４】
第１の端末装置と、第２の端末装置と、前記第１の端末装置から送信されて前記第２の端末装置との通話を要求する発信信号を受信して、前記発信信号を着信信号に変換し、変換された前記着信信号を前記第２の端末装置に無線により送信する呼制御装置と、前記第２の端末装置に代わり前記第１の端末装置と通話を行う第３の端末装置とを備える通信システムにおいて、
前記第２の端末装置は、前記着信信号を受信した後、所定時間経過後、前記着信信号に含まれる前記第２の端末装置の識別情報を含む着信情報を超音波により出力する超音波出力部を備え、
前記第３の端末装置は、前記第２の端末装置から超音波により送信された前記着信情報を受信する超音波受信部と、前記着信情報を受信したとき、前記第２の端末装置に代わり前記第１の端末装置と通話を行うことを要求するピックアップ要求信号を前記呼制御装置に無線により送信する第１の信号送信部とを備え、
前記呼制御装置は、前記ピックアップ要求信号を受信したとき、前記第３の端末装置に対して前記第２の端末装置に代えて前記第１の端末装置との通話を許可するピックアップ要求応答信号を無線により送信し、前記第２の端末装置に対して前記着信信号の受信を取消す着信取消信号を無線により送信する第２の信号送信部を備えることを特徴とする通信システム。
【請求項５】
第１の端末装置と、第２の端末装置と、前記第１の端末装置から無線により送信されて前記第２の端末装置との通話を要求する発信信号を受信して、前記発信信号を着信信号に変換し、変換された前記着信信号を前記第２の端末装置に無線により送信する呼制御装置と、前記第２の端末装置に代わり前記第１の端末装置と通話を行う第３の端末装置とを備える通信システムにおける着信応答方法であって、
前記第２の端末装置により、前記着信信号を受信した後、所定時間経過後、前記着信信号に含まれる前記第２の端末装置の識別情報を含む着信情報を超音波により出力し、
前記第３の端末装置により、前記第２の端末装置から超音波により送信された前記着信情報を受信し、前記着信情報を受信したとき、前記第２の端末装置に代わり前記第１の端末装置と通話を行うことを要求するピックアップ要求信号を前記呼制御装置に無線により送信し、
前記呼制御装置により、前記ピックアップ要求信号を受信したとき、前記第３の端末装置に対して前記第２の端末装置に代えて前記第１の端末装置との通話を許可するピックアップ要求応答信号を無線により送信し、前記第２の端末装置に対して前記着信信号の受信を取消す着信取消信号を無線により送信することを特徴とする着信応答方法。
【発明の詳細な説明】
【技術分野】
【０００１】
本発明は、端末装置、呼制御装置、通信システム、及び通信システムにおける着信応答方法に関する。
【背景技術】
【０００２】
現在、構内電話交換機（ＰＢＸ：Private Branch eXchange）を介した端末装置間において、コールピックアップサービスと呼ばれるサービスが提供される場合がある。コールピックアップサービスとは、例えば、ＰＢＸに登録されたピックアップグループに属する端末装置において呼が着信した場合、同一のピックアップグループに属する他の端末装置が応答し、当該他の端末装置が発信側の端末装置と通信を行うようにしたサービスである。これにより、例えば、着信側端末装置宛ての着信があったときにおいて、着信側端末装置が応答できないような場合、ピックアップ用の端末装置が代わりに応答することができるようになる。例えば、会社内のある部署において、部署内のある端末装置に呼が着信した場合、あるユーザは同一のピックアップグループとして登録された他の端末装置を利用して通話を行うことができる。
【０００３】
コールピックアップサービスは、例えば、固定電話機で使用されることを前提としたサービスとなっており、固定電話機（又は固定電話機に接続された物理回線）に対してピックアップグループが登録されるようになっている。コールピックアップサービスは、例えば、固定電話機の物理的位置に依存したサービスとなっている。
【０００４】
このようなコールピックアップサービスに関する技術としては、例えば、以下のようなものがある。すなわち、応答端末と着信通知端末は公衆網に接続され、応答端末は着信通知端末からの着信情報の通知を受け取って着信通知端末にコールピックアップを行い、着信通知端末は電話機と応答端末とを接続して通話状態にするようにしたコールピックアップ通信システムがある。
【先行技術文献】
【特許文献】
【０００５】
【特許文献１】特開２０００−３５４１１０号公報
【発明の概要】
【発明が解決しようとする課題】
【０００６】
しかし、コールピックアップサービスは、上述したように、例えば、固定電話機で使用されることを前提としたサービスとなっている。そのため、ＰＨＳ（Personal Handyphone System）などの移動端末でコールピックアップサービスが使用される場合、以下のような問題点がある。
【０００７】
１）ユーザがＰＨＳ端末を持ってピックアップグループの範囲外に移動したとき、そのＰＨＳ端末から、移動先の近傍の端末への着信をピックアップできない。例えば、ＰＨＳ端末は同一のピックアップグループとして登録された端末に対しては当該端末あての着信をピックアップすることができる。しかし、ＰＨＳ端末が当該端末と通信できる範囲外に移動したとき、移動先においてＰＨＳ端末の近傍の端末に着信があっても、ＰＨＳ端末はその近傍の端末への着信をピックアップすることができない。
【０００８】
２）また、ピックアップグループが設定された範囲から離れた場所に移動したＰＨＳ端末への着信を移動先の近傍の他の端末からピックアップすることもできない。例えば、移動先におけるＰＨＳ端末近傍の他の端末は、ＰＨＳ端末への着信をピックアップすることができない。
【０００９】
３）さらに、ＰＨＳ端末などは人に括り付けて運用されることが多い。この場合、例えば、会社内において部署異動、席替えなどにより座席が変わると、人はＰＨＳ端末を持って移動することになり、それに伴いＰＨＳ端末の定位置が移動することになる。そのため、ＰＨＳ端末においてコールピックアップサービスの提供を受けるためには、移動の都度、ピックアップグループの変更が行わなければならない。
【００１０】
４）さらに、ＰＨＳ端末は、従来の固定電話機と比較して小型である。そのため、近傍の複数あるＰＨＳ端末のうちあるＰＨＳ端末が着信し着信音が鳴動しても、その着信音がどのＰＨＳ端末が発しているのか分かりにくく、着信しているＰＨＳ端末に応答することができない、あるいは応答が遅れる場合がある。
【００１１】
なお、上述した特開２０００−３５４１１０号公報に記載された技術は、公衆網における遠隔の端末への着信に応答するようにした転送サービスやワンナンバーサービスに関するものであり、上記した１）から４）までの課題については何ら解決するものではない。
【００１２】
そこで、本発明の一目的は、ピックアップグループの範囲外に移動してもコールピックアップサービスの提供を受けることができる端末装置、呼制御装置、通信システム、及び通信システムにおける着信応答方法を提供することにある。
【００１３】
また、本発明の一目的は、ピックアップグループの登録を不要にした端末装置、呼制御装置、通信システム、及び通信システムにおける着信応答方法を提供することにある。
【課題を解決するための手段】
【００１４】
一態様は、通話を要求する発信信号が第１の端末装置から無線により送信されて、呼制御装置において受信された前記発信信号が着信信号に変換されて、前記呼制御装置から無線により送信された前記着信信号を受信する端末装置において、前記着信信号を受信したとき、前記着信信号に含まれる前記端末装置の識別情報を含む着信情報を、前記端末装置に代わり前記第１の端末装置と通話を行う第２の端末装置に対して超音波により出力する超音波出力部を備える。
【発明の効果】
【００１５】
ピックアップグループの範囲外に移動してもコールピックアップサービスの提供を受けることができる端末装置、呼制御装置、通信システム、及び通信システムにおける着信応答方法を提供することができる。また、ピックアップグループの登録を不要にした端末装置、呼制御装置、通信システム、及び通信システムにおける着信応答方法を提供することができる。
【図面の簡単な説明】
【００１６】
【図１】図１は端末装置の構成例を表わす図である。
【図２】図２は通信システムの構成例を表わす図である。
【図３】図３は端末装置の構成例を表わす図である。
【図４】図４はＰＢＸの構成例を表わす図である。
【図５】図５（Ａ）と図５（Ｂ）は着信情報の例をそれぞれ表わす図である。
【図６】図６は動作例を表わすシーケンスチャートである。
【図７】図７は動作例を表わすシーケンスチャートである。
【図８】図８は動作例を表わすシーケンスチャートである。
【図９】図９（Ａ）から図９（Ｃ）はピックアップ可能な呼の表示例をそれぞれ表わす図である。
【図１０】図１０は呼テーブルの構成例を表わす図である。
【図１１】図１１はＰＢＸの構成例を表わす図である。
【図１２】図１２は端末の構成例を表わす図である。
【図１３】図１３はＰＢＸの構成例を表わす図である。
【図１４】図１４はピックアップグループ情報ＤＢの構成例を表わす図である。
【図１５】図１５は動作例を表わすシーケンスチャートである。
【図１６】図１６はＰＢＸの構成例を表わす図である。
【図１７】図１７は動作例を表わすシーケンスチャートである。
【図１８】図１８は端末のハードウェア構成例を表わす図である。
【図１９】図１９はＰＢＸのハードウェア構成例を表わす図である。
【図２０】図２０は端末の構成例を表わす図である。
【発明を実施するための形態】
【００１７】
以下、本発明を実施するための形態について説明する。
【００１８】
［第１の実施の形態］
最初に第１の実施の形態について説明する。図１は第１の実施の形態における端末装置７００の構成例を表わす図である。端末装置７００は、例えば、携帯電話機など通話可能な情報携帯端末である。端末装置７００は呼制御装置６００を介して第１の端末装置５００と通話を行うことができる。また、第１の端末装置５００は、端末装置７００に対して通話を要求する発信信号を送信することができる。呼制御装置６００は、発信信号を受信し、これを着信信号に変換し、着信信号を無線により端末装置７００に送信することができる。端末装置７００は、呼制御装置６００から送信された着信信号を受信することができる。
【００１９】
端末装置７００は、超音波出力部７１０を備える。超音波出力部７１０は、着信信号を受信したとき、着信信号に含まれる端末装置７００の識別情報を含む着信情報を、第２の端末装置８００に対して超音波により出力することができる。端末装置７００から超音波出力された識別情報は、第２の端末装置８００において受信することができる。
【００２０】
このように、端末装置７００は、着信信号を受信したとき、端末装置７００の識別情報を含む着信情報を超音波により第２の端末装置８００に送信することができる。よって、第２の端末装置８００は、この着信情報に基づいて、端末装置７００に代わり第１の端末装置５００と通話を行うことを要求するピックアップ要求信号を呼制御装置６００に送信することができ、これにより、第１の端末装置５００と通話を行うことができるようになる。
【００２１】
よって、第２の端末装置８００は、他の呼制御装置などにおいてピックアップグループの登録が行われる場合でも、登録の範囲外において、近傍の端末装置５００への着信をピックアップすることができ、コールピックアップサービスの提供を受けることができる。この際、呼制御装置６００において第２の端末装置８００に対するピックアップグループの登録も不要となる。
【００２２】
［第２の実施の形態］
＜通信システム１０の構成例＞
次に第２の実施の形態について説明する。図２は本第２の実施の形態における通信システム１０の構成例を表わす図である。通信システム１０は、発信側端末装置（以下、「発信側端末」と称する場合がある）１００、構内電話交換機（ＰＢＸ（Private Brach eXchange）、以下、「ＰＢＸ」と称する場合がある）２００、ピックアップ端末装置（以下、「ピックアップ端末」と称する場合がある）３００、及び着信側端末装置（以下、「着信側端末」と称する場合がある）４００を備える。
【００２３】
なお、第１の実施の形態における第１の端末装置５００は、例えば、発信側端末４００に対応する。また、第１の実施の形態における呼制御装置６００は、例えば、ＰＢＸ２００に対応する。さらに、第１の実施の形態にける端末装置７００はピックアップ端末装置３００、第１の実施の形態における第２の端末装置８００は着信側端末４００にそれぞれ対応する。また、第２の実施の形態においては、呼制御装置６００の一例としてＰＢＸ２００の例を表わしているが、呼制御装置６００としてはＰＢＸ２００以外にも、例えば、ＳＩＰ（Session Initiation Protocol）サーバなどであってもよい。
【００２４】
発信側端末１００、ピックアップ端末３００、及び着信側端末４００は、例えば、携帯電話機（フィーチャーフォンでもよいしスマートフォンでもよい）やＰＤＡ（Personal Digital Assistance）などの端末装置である。本第２の実施の形態では、発信側端末１００、ピックアップ端末３００、及び着信側端末４００を総称して端末装置と称する場合がある。
【００２５】
図２の通信システム１０においては、発信側端末１００は着信側端末４００と通話を行うべく、発信信号をＰＢＸ２００に送信する。ＰＢＸ２００は、受信した発信信号を着信側端末４００宛ての着信信号として着信側端末４００に送信する。着信側端末４００は、ＰＢＸ２００から着信信号を受信すると、着信情報（例えば、着信側端末４００の電話番号を含む）を超音波によりピックアップ端末３００に送信する。ピックアップ端末３００は超音波を受信し、当該呼に対してピックアップする場合、ＰＢＸ２００にピックアップ要求信号を送信する。そして、ＰＢＸ２００は、ピックアップ要求信号に対する応答信号をピックアップ端末３００に送信し、以後、ピックアップ端末３００は着信側端末４００に代わり、発信側端末１００と通話を行うことができるようになる。なお、ＰＢＸ２００は、例えば、公衆回線網と接続することができる。
【００２６】
図２において、ＰＢＸ２００には、２つのアクセスポイント２１０，２１５がある。例えば、ＰＢＸ２００は、アクセスポイント２１０，２１５ごとに端末装置１００，３００，４００を収容又は登録することができる。各端末装置１００，３００，４００は、登録されたアクセスポイント２１０，２１５において、電話、インターネットの接続など、種々のサービスの提供を受けることができる。なお、本第２の実施の形態では、アクセスポイント２１０，２１５によって、端末装置１００，３００，４００において受けることのできるサービスは制限されないものとする。
【００２７】
＜端末装置とＰＢＸの各構成例＞
次に端末装置１００，３００，４００とＰＢＸ２００の各構成例について説明する。最初に端末装置３００，４００の構成例について説明し、次に端末装置１００の構成例、最後に、ＰＢＸ２００の構成例について説明することにする。
【００２８】
なお、端末装置３００，４００は、例えば同一構成であり、特に断らない限り、端末装置３００として説明する。また、端末装置１００は、端末装置３００と同一である必要はなく、ＰＨＳなどの公知の移動端末でもよいし、固定電話機であってもよい。端末装置１００が固定電話機の場合、ＰＢＸ２００においては、例えばアクセスポイント２１０は不要となり、直接ＰＢＸ２００と回線により接続することができる。端末装置１００は、例えば、公衆回線を介した公衆網端末でもよい。なお、端末装置について、適宜「端末」と称する場合がある。
【００２９】
図３は端末３００の構成例を表わす図である。端末３００は、信号受信部１０１、着信処理部１０２、取消処理部１０３、着信音鳴動部１０４、エンコード部１０５、超音波出力部１０６、通話開始処理部１０７、超音波受信部１０８、デコード部１０９、ピックアップ対象番号表示部１１０、ピックアップボタン点滅部１１１、ピックアップ操作検知部１１２、ピックアップ信号生成部１１３、信号送信部１１４、発信処理部１１５、及びピックアップ通話開始処理部１１６とを備える。
【００３０】
なお、第１の実施の形態における超音波出力部７１０は、例えば、信号受信部１０１、着信処理部１０２、エンコード部１０５、及び超音波出力部１０６に対応する。
【００３１】
信号受信部１０１は、例えば、ＰＢＸ２００から送信された着信信号や発信応答信号、着信取消信号、着信取消応答信号、さらに、確認信号などを受信することができる。各信号の詳細については後述する。信号受信部１０１は、例えば、無線信号として送信された着信信号や発信応答信号などを受信することができ、受信した無線信号に対して所定の復調処理を施すことで、着信信号や発信応答信号などを復調することができる。信号受信部１０１は、このような受信処理や復調処理などを行うことができるよう、アンテナ、増幅器、デジタル復調回路、Ａ／Ｄ変換回路、帯域フィルタ（ＢＰＦ：Band Pass Filter）などを備えるようにしてもよい。信号受信部１０１は、復調等の処理を施した着信信号や発信応答信号などを着信処理部１０２と発信処理部１１５に出力することができる。
【００３２】
着信処理部１０２は、信号受信部１０１から入力した取消信号を取消処理部１０３に出力することができる。また、着信処理部１０２は、信号受信部１０１から着信信号を入力したとき、着信音鳴動部１０４に対して着信音を鳴動させるよう指示することができる。さらに、着信処理部１０２は、着信信号から着信情報を抽出し、着信情報をエンコード部１０５に出力することもできる。着信情報は、例えば、発信側端末１００の電話番号と着信側端末４００の電話番号が含まれる。さらに、着信処理部１０２は、信号受信部１０１から確認信号などを入力したとき、通話開始処理部１０７に対して通話開始を指示することもできる。着信処理部１０２は、例えば、各信号のヘッダに格納された信号の種別情報に基づいて、取消信号や着信信号、確認信号などを識別することができ、識別結果に応じて、各信号を各部１０３等に出力することができる。
【００３３】
取消処理部１０３は、着信信号（又は着信呼）に対する取消処理を行うことができる。取消処理部１０３は、例えば、ＬＣＤ（Liquid Crystal Display）などの表示部に表示された着信表示を取消したりすることができる。
【００３４】
着信音鳴動部１０４は、着信処理部１０２から出力された着信音の鳴動の指示に従って、着信音を鳴動することができる。着信音鳴動部１０４は、例えば、発信側の発信側端末１００ごとに異なる着信音を鳴動することもできる。  
【００３５】
エンコード部１０５は、着信処理部１０２から出力された着信情報をコード化する。
【００３６】
図５（Ａ）は、例えば、コード化対象の着信情報の例を表わす図である。図５（Ａ）において、「ｓ０」から「ｓ１５」は、着信側端末４００の電話番号を表わしている。また、図５（Ａ）において、「ｄ０」から「ｄ１５」は、例えば、発信側端末１００の電話番号を表わしている。エンコード部１０５は、例えば、各電話番号の各桁「ｓ０」〜「ｄ１５」をアスキーコードでコード化することもできる。図５（Ａ）の例では、着信情報は２行に分かれているが、コード化された着信情報は、例えば、着信側端末４００と発信側端末１００の順（あるいはその逆順）で１行にまとめられることもできる。コード化は、アスキーコード化以外にも、例えば、電話番号の各桁を１６進表示にコード化したり、或いは伝送プロトコルなどに従ったコードに変換したりすることもできる。エンコード部１０５は、エンコードした着信情報を超音波出力部１０６に出力する。
【００３７】
図３に戻り、超音波出力部１０６は、エンコードされた着信情報を所定の変調方式により超音波の周波数帯域に変調することで超音波を生成し、生成した超音波を超音波スピーカなどから出力することができる。このような変調や超音波出力などが行われるために、超音波出力部１０６は、例えば、デジタル変調回路、増幅器、無指向性超音波スピーカなどを備えるようにしてもよい。着信情報に対応する超音波は、例えば、着信側端末４００から送信される。
【００３８】
通話開始処理部１０７は、例えば、ＰＢＸ２００から送信された応答信号を信号受信部１０１などを介して受信した場合、発信処理部１１５などを介して確認信号をＰＢＸ２００に送信し、通話開始処理を行うことができる。通話開始処理部１０７は、例えば、音声信号の送信や受信を開始することができる。
【００３９】
超音波受信部１０８は、例えば、着信側端末４００から送信された超音波を受信し、所定の復調方式により、受信した超音波から着信情報を復調することができる。超音波受信部１０８は、このような受信処理や復調処理を行うことができるよう、例えば、無指向性超音波マイクロフォン、増幅器、デジタル復調回路などを備えるようにしてもよい。超音波受信部１０８は、抽出した着信情報をデコード部１０９に出力することができる。
【００４０】
デコード部１０９は、コード化された着信情報をデコード化することで、コード化前の着信情報を抽出することができる。着信情報がアスキーコードによりコード化されている場合は、例えば、デコード部１０９は内部に保持されたコードテーブルを参照することで、アスキーコードに対応するコード化前の着信情報を得ることができる。デコード部１０９は、デコードした着信情報をピックアップ対象番号表示部１１０に出力することができる。
【００４１】
ピックアップ対象番号表示部１１０は、デコード部１０９から出力された着信情報を表示させることができる。図９（Ａ）から図９（Ｃ）はピックアップ対象番号表示部１１０に表示されるピックアップ対象の番号表示例をそれぞれ表わしている。詳細は後述するが、ピックアップ対象番号表示部１１０は、着信情報に含まれる発信側端末１００と着信側端末４００の各電話番号を表示することができる。これにより、ピックアップ端末３００を利用するユーザは、発信側と着信側の各電話番号を確認することができる。ピックアップ対象番号表示部１１０は、デコード部１０９から着信情報を入力したとき、ピックアップボタン点滅部１１１にピックアップボタンを点滅させるよう指示することができる。
【００４２】
ピックアップボタン点滅部１１１は、ピックアップボタンの点滅の指示を受けたとき、例えば、ＬＥＤ（Light Emitting Diode）などで構成されたピックアップボタンを点滅表示させることができる。ピックアップボタン点滅部１１１は、ピックアップボタンを点滅させることで、鳴動中の着信側端末４００への着信呼に対して、ピックアップ端末３００がピックアップ可能であることをユーザに通知することができる。
【００４３】
ピックアップ操作検知部１１２は、点滅表示されているピックアップボタンの押下を検知することができる。ピックアップボタン操作検知部１１２は、ピックアップボタンの押下を検知すると、ピックアップボタン点滅部１１１に対してピックアップボタンの点滅表示を停止するよう指示することができる。そして、ピックアップ操作検知部１１２は、例えば、ピックアップ対象番号表示部１１０から受け取った着信情報のうち、ピックアップ対象の着信側端末４００の電話番号をピックアップ信号生成部１１３に出力することができる。
【００４４】
ピックアップ信号生成部１１３は、ピックアップ操作検知部１１２から受け取った着信側端末４００の電話番号に対して、当該電話番号を含むピックアップ要求信号を生成する。ピックアップ信号生成部１１３は、生成したピックアップ要求信号を信号送信部１１４に出力することができる。
【００４５】
信号送信部１１４は、ピックアップ信号生成部１１３から出力されたピックアップ要求信号を、例えばＰＢＸ２００に送信することができる。また、信号送信部１１４は、例えば、発信処理部１１５から出力された発信信号を受け取り、発信信号を無線信号としてＰＢＸ２００に送信することができる。
【００４６】
なお、信号送信部１１４は、発信信号やピックアップ要求信号を無線信号として送信するために、例えば、所定の変調方式による変調処理などを行うことができる。信号送信部１１４は、このような変調処理などを行うことができるよう、例えば、Ａ／Ｄ変換回路、デジタル変調回路、帯域通過フィルタ（ＢＰＦ）、さらに増幅器などを備えるようにしてもよい。
【００４７】
発信処理部１１５は、例えば、端末３００においてユーザの操作による発信操作を受け付け、発信操作により入力された着信側の電話番号に基づいて発信信号を生成する。発信操作は、例えば、ユーザが端末３００の操作ボタンを操作して、着信側の電話番号が入力されることにより行われる操作である。生成された発信信号には、例えば、発信操作により入力された着信側の電話番号と、自局の電話番号が含まれることができる。
【００４８】
ピックアップ通話開始処理部１１６は、例えば、信号受信部１０１において、ピックアップ要求応答信号を受信したとき、発信処理部１１５を介してピックアップ要求応答信号を入力することができる。ピックアップ要求応答信号は、例えば、ピックアップ信号生成部１１３において生成されたピックアップ要求信号に対する応答信号としてＰＢＸ２００から送信されたものである。例えば、ピックアップ端末３００は、ＰＢＸ２００からピックアップ要求応答信号を受信することで、ピックアップ可能な端末として動作することができる。そして、ピックアップ通話開始処理部１１６は、ピックアップ要求応答信号を入力すると、確認信号を生成して信号送信部１１４に出力し、さらに、ピックアップ通話開始処理を行うことができる。確認信号は、信号送信部１１４を介してＰＢＸ２００に送信される。
【００４９】
次に、端末１００の構成例について説明する。図２０は端末１００の構成例を表わす図である。端末１００は、信号受信部１０１０、着信処理部１０２０、取消処理部１０３０、着信音鳴動部１０４０、通話開始処理部１０７０、信号送信部１１４０、及び発信処理部１１５０とを備える。
【００５０】
信号受信部１０１０は、例えば、ＰＢＸ２００から送信された着信信号などを受信することができる。信号受信部１０１０は、例えば、端末３００の信号受信部１０１と同様に、無線信号として送信された着信信号などに対して復調処理などを施すことで着信信号を復調することができる。
【００５１】
着信処理部１０２０は、信号受信部１０１０から出力された取消信号を取消処理部１０３０に出力することができる。また、着信処理部１０２０は、信号受信部１０１０から出力された着信信号を入力したとき、着信音鳴動部１０４０に対して着信音を鳴動させるよう指示することができる。さらに、着信処理部１０２０は、信号受信部１０１０から出力された確認信号を入力したとき、通話開始処理部１０７０に対して通話開始を指示することもできる。
【００５２】
取消処理部１０３０は、端末３００の取消処理部１０３と同様に、取消信号を入力したときは、着信信号に対する取消処理を行うことができる。
【００５３】
着信音鳴動部１０４０は、端末３００の着信音鳴動部１０４と同様に、着信音の鳴動の指示に従って、着信音を鳴動することができる。
【００５４】
通話開始処理部１０７０は、端末３００の通話開始処理部１０７と同様に、着信処理部１０２０からの通話開始の指示に従って、通話を開始するための処理を行う。通話開始処理部１０７０は、例えば、音声信号の送信や受信を開始することができる。
【００５５】
信号送信部１１４０は、例えば、発信処理部１１５０から出力された発信信号を受け取り、発信信号を無線信号としてＰＢＸ２００に送信することができる。
【００５６】
発信処理部１１５０は、例えば、ユーザの操作による発信操作を受け付けて、発信信号を生成することができる。発信操作は、例えば、ユーザが端末１００の操作ボタンを操作して、着信側の電話番号などが入力されることにより行われる。発信信号には、例えば、着信側の電話番号（例えば、着信側端末４００の電話番号など）と自局の電話番号（例えば、端末１００の電話番号など）が含まれ、発信処理部１１５０により発信信号が生成されることができる。発信処理部１１５０は、発信信号を信号送信部１１４０に出力する。
【００５７】
次に、ＰＢＸ２００の構成例について説明する。図４はＰＢＸ２００の構成例を表わす図である。ＰＢＸ２００は、信号受信部２０１、呼処理部２０２、ピックアップ切替処理部２０３、ピックアップ切替完了処理部２０４、及び信号送信部２０５を備える。
【００５８】
信号受信部２０１は、例えば、発信側端末１００から送信された発信信号を受信することができる。また、信号受信部２０１は、例えば、着信側端末４００から送信された着信応答信号や、ピックアップ要求応答信号、着信取消応答信号、確認信号などを受信することができる。これらの信号の詳細は後述する。信号受信部２０１は、受信したこれらの信号を呼処理部２０２に出力することができる。
【００５９】
呼処理部２０２は、例えば、信号受信部２０１から発信信号を入力したときは、発信信号に基づいて、着信側端末４００に対する着信信号を生成することができる。呼処理部２０２は、例えば、発信信号に含まれる発信側端末１００と着信側端末４００の各電話番号を抽出し、着信信号に含ませるようにすることができる。
【００６０】
また、呼処理部２０２は、例えば、信号受信部２０１から着信応答信号を入力したときは、着信応答信号に基づいて、発信側端末１００への発信応答信号を生成することができる。
【００６１】
さらに、呼処理部２０２は、信号受信部２０１からピックアップ要求信号を入力したときは、ピックアップ要求信号をピックアップ切替処理部２０３に出力することができる。さらに、呼処理部２０２は、ピックアップ切替処理部２０３からピックアップ要求応答信号と着信取消信号とを入力したときは、これらの信号を信号送信部２０５に出力することができる。さらに、呼処理部２０２は、信号処理部２０２から信号取消応答信号や確認信号などを入力したときは、これらの信号をピックアップ切替完了処理部２０４に出力することができる。さらに、呼処理部２０２は、ピックアップ切替完了処理部２０４から確認信号を入力したときは、確認信号を信号送信部２０５に出力することができる。
【００６２】
例えば、これらの信号についても、ヘッダなどに種別を表わす情報が含まれており、呼処理部２０２は種別を表わす情報に基づいて各信号を識別し、ピックアップ切替処理部２０３などに出力することができる。
【００６３】
ピックアップ切替処理部２０３は、例えば、ピックアップ要求信号を入力したとき、ピックアップ要求信号に含まれる着信情報を抽出し、抽出した着信情報に基づいて該当呼を特定する。該当呼の特定処理については後述する。ピックアップ切替処理部２０３は、該当呼を特定すると、例えば、特定した該当呼の着信側端末４００に対して着信取消信号を生成し、ピックアップ端末３００に対してピックアップ要求応答信号を生成する。ピックアップ切替処理部２０３は、生成した着信取消信号とピックアップ要求応答信号を呼処理部２０２に出力することができる。
【００６４】
ピックアップ切替完了処理部２０４は、例えば、該当呼の着信側端末４００から送信された、着信取消信号に対する着信取消応答信号を入力することができる。また、ピックアップ切替完了処理部２０４は、例えば、ピックアップ端末３００から送信された、ピックアップ要求応答信号に対する確認信号を入力することもできる。ピックアップ切替完了処理部２０４は、着信取消応答信号または確認信号（或いは、着信取消信号及び確認信号）を入力すると、確認信号を生成して呼処理部２０２に出力することができる。
【００６５】
信号送信部２０５は、例えば、呼処理部２０２から出力された発信応答信号や確認信号を発信側端末１００に送信したり、着信信号やピックアップ要求応答信号、着信取消信号などを着信側端末４００に送信することができる。また、信号送信部２０５は、例えば、呼処理部２０２から出力されたピックアップ要求応答信号をピックアップ端末３００に送信することもできる。
【００６６】
＜動作例＞
次に本第２の実施の形態における動作例について説明する。図６は本通信システム１０におけるシーケンス例を表わす図である。また、図７及び図８は、図６と同じシーケンス例を表わしているが、端末３００などの各部がどのように動作するかを含むシーケンス例を表わしている。動作例としては、発信側端末１００が着信側端末４００に発信信号を送信し、ピックアップ端末３００が着信側端末４００への呼をピックアップして、ピックアップ端末３００と発信側端末１００において通話が行われる例である。動作例として、図６を主に説明し、適宜、図７及び図８を参照して説明するものとする。
【００６７】
最初に発信側端末１００は、操作ボタンなどによるダイヤル操作が行われ、発信処理を行う（Ｓ１０）。例えば、発信側端末１００は、発信処理部１１５０により発信操作を受け付け、発信操作により入力された着信側端末４００の電話番号と発信側端末１００の電話番号とを含む発信信号を生成する。
【００６８】
次いで、発信側端末１００は、発信信号をＰＢＸ２００に送信する（Ｓ１１）。例えば、信号送信部１１４は、発信処理部１１５から発信信号を入力し、無線信号としてＰＢＸ２００に送信することができる。
【００６９】
次いで、ＰＢＸ２００は、発信信号を受信して呼処理を行い、着信信号を着信側端末４００に送信する（Ｓ１２，Ｓ１３）。例えば、ＰＢＸ２００の信号受信部２０１は発信信号を受信して呼処理部２０２に出力し、呼処理部２０２は発信信号に基づいて着信側端末４００に対する着信信号を生成する。着信信号には、着信情報が含まれる。着信情報は、例えば、発信側端末１００の電話番号と着信側端末４００の電話番号が含まれる。呼処理部２０２は、例えば、発信信号に含まれる着信情報を取り出して、着信信号に含ませることができる。例えば、信号送信部２０５は呼処理部２０２から着信信号を受け取り、これを着信側端末４００に送信する。
【００７０】
次いで、着信側端末４００は、着信信号に対して着信処理を行い、さらに、着信信号に含まれる着信情報を抽出してエンコードし、更に、エンコードした電話番号を超音波で出力する（Ｓ１４）。例えば、信号受信部１０１は着信信号を受信し、着信処理部１０２は着信信号を入力して着信音鳴動部１０４に着信音を鳴動させるよう指示する。これにより、着信音鳴動部１０４は、着信音を鳴動することができる（Ｓ１７）。また、着信処理部１０２は、着信信号から着信情報を抽出してエンコード部１０５に出力し、エンコード部１０５は着信情報をコード化して、超音波出力部１０６に出力する。超音波出力部１０６は、コード化された着信情報を超音波に変調して出力することができる（Ｓ１８）。信号送信部１１４は、例えば、着信音鳴動部１０４から着信音を鳴動した旨の通知を受け、また、超音波出力部１０６から超音波出力を行った旨の通知を受けたとき、着信信号（Ｓ１３）に対する着信応答信号を無線信号に変換してＰＢＸ２００に送信する（Ｓ１５）。
【００７１】
一方、ピックアップ端末３００は、着信側端末４００から送信される超音波を受信できる範囲内に位置するとき、この超音波を受信することができる（Ｓ１９）。そして、ピックアップ端末３００は、受信した超音波から着信情報を取り出し、着信情報に含まれるピックアップ対象番号を取得することもできる（Ｓ１９）。ピックアップ対象番号は、例えば、発信側端末１００と着信側端末４００の各電話番号である。さらに、ピックアップ端末３００は、ピックアップボタンを点滅させることができる（Ｓ１９）。この点滅により、例えば、ピックアップ端末３００は、鳴動している着信側端末４００のピックアップが可能であることを、ピックアップ端末３００を利用するユーザに通知することができる。ピックアップ端末３００は、ユーザによりピックアップボタンが押下されると、ピックアップ要求信号を生成しＰＢＸ２００に送信することができる（Ｓ２０，Ｓ２１）。
【００７２】
Ｓ１９からＳ２１までの処理について、図７などに表わされるように、例えば以下のような処理が行われる。すなわち、ピックアップ端末３００の超音波受信部１０８は、着信側端末４００から送信された超音波を受信し、着信情報に復調してデコード部１０９に出力することができる。デコード部１０９は、コード化された着信情報をデコードしてコード化される前の着信情報を取り出し、ピックアップ対象番号表示部１１０に出力する。ピックアップ対象番号表示部１１０は、着信情報に含まれる、発信側端末１００の電話番号と着信側端末４００の電話番号を表示することができる。
【００７３】
図９（Ａ）はピックアップ対象番号表示部１１０に表示される着信情報の例を表わしている。図９（Ａ）の例では、発信側端末１００の電話番号の例として「２００１」、着信側端末４００の電話番号の例として「２００９」が表示されている例を表わしている。なお、図９（Ｂ）と図９（Ｃ）は他の表示例を表わしているが詳細は後述する。
【００７４】
図７に戻り、ピックアップ端末３００のピックアップ対象番号表示部１１０は、例えば、デコード部１０９から着信情報を受け取ると、ピックアップボタン点滅部１１１にピックアップボタンの点滅を指示する。これにより、ピックアップ端末３００においてピックアップ可能な状態を、ピックアップ端末３００を利用するユーザに知らせることができる。
【００７５】
そして、ピックアップ操作検知部１１２は、例えば、ピックアップボタンの押下を検知すると、ピックアップボタンの点滅停止をピックアップボタン点滅部１１１に通知する。また、ピックアップ操作検知部１１２は、着信情報（Ｓ１８）に含まれる着信側端末４００の電話番号をピックアップ信号生成部１１３に出力する。
【００７６】
ピックアップ信号生成部１１３は、ピックアップ操作検知部１１２から出力された着信側端末４００の電話番号を入力すると、当該電話番号と、ピックアップ端末３００の電話番号とを含むピックアップ要求信号を生成し、信号送信部１１６を介してＰＢＸ２００に送信することができる（Ｓ２１）。なお、ピックアップ信号生成部１１３は、着信情報（Ｓ１８）と、ピックアップ端末３００の電話番号とを含むピックアップ要求信号を生成し、ＰＢＸ２００に送信するようにしてもよい。
【００７７】
図６に戻り、ＰＢＸ２００は、ピックアップ端末３００からピックアップ要求信号を受信すると、例えば、ピックアップ要求信号に含まれる着信側端末４００の電話番号（又は着信情報）に基づいて、該当する呼を特定する特定処理を行う（Ｓ２２）。そして、ＰＢＸ２００は、該当する呼を特定したとき、該当する呼の着信側端末４００に対して着信取消信号を送信し（Ｓ２４）、ピックアップ要求信号を送信したピックアップ端末３００に対してピックアップ要求応答信号を送信することができる（Ｓ２３）。Ｓ２３とＳ２４の処理順は逆でもよい。Ｓ２２からＳ２４までの処理は、図７に表わされるように、例えば以下のようにして行われる。
【００７８】
すなわち、ＰＢＸ２００の信号受信部２０１はピックアップ要求信号（Ｓ２１）を受信すると、呼処理部２０２を介して、ピックアップ切替処理部２０３にピックアップ要求信号を出力することができる。
【００７９】
ピックアップ切替処理部２０３は、ピックアップ要求信号に含まれる着信側端末４００の電話番号に基づいて、呼を特定する特定処理を行う（Ｓ２２）。例えば、ピックアップ切替処理部２０３は、ピックアップ要求信号に含まれる着信側端末４００の電話番号に基づいて、どの呼に対するピックアップ要求かを確認する。例えば、ＰＢＸ２００は、発信信号（Ｓ１１）を発信側端末１００から受け取ると、呼ごとに、発信側端末１００の電話番号と着信側端末４００の電話番号とを組とする呼情報を呼テーブルに記憶する。
【００８０】
図１０は呼テーブル２０２１の例を表わす図である。また、図１１は呼テーブル２０２１を含むＰＢＸ２００の構成例を表わす図である。呼テーブル２０２１は、例えば、呼処理部２０２内部に設けられてもよいし、図１１に表わされるように呼処理部２０２の外部に設けられても良い。例えば、呼処理部２０２は、発信信号（Ｓ１１）を受信すると、発信信号に含まれる発信側端末の電話番号と着信側端末４００の電話番号を呼テーブル２０２１に記憶することができる。
【００８１】
図８に戻り、ピックアップ切替処理部２０３は、例えば、ピックアップ要求信号をピックアップ端末３００から受信すると（Ｓ２１）、ピックアップ要求信号に含まれる着信側端末４００の電話番号が呼テーブル２０２１に記憶されているか否かを確認する。ピックアップ切替処理部２０３は、ピックアップ要求信号に含まれる着信側端末４００の電話番号が呼テーブル２０２１に記憶されているときは、呼を特定したこととなり、以後の処理を行う。他方、ピックアップ切替処理部２０３は、ピックアップ要求信号に含まれる着信側端末４００の電話番号が呼テーブル２０２１に記憶されていないとき、呼の特定ができず（又は呼が確立されていない）、以後の処理を行わないようにする。
【００８２】
呼が特定されると、ピックアップ切替処理部２０３は、ピックアップ要求信号（Ｓ２１）に対するピックアップ要求応答信号を生成し、さらに、着信取消信号を生成することができる。
【００８３】
この場合、ピックアップ切替処理部２０３は、例えば、ピックアップ要求信号に含まれるピックアップ端末３００の電話番号に基づいてピックアップ端末３００を特定し、当該ピックアップ端末３００に対して、ピックアップ要求応答信号を送信する（Ｓ２３）。
【００８４】
また、ピックアップ切替処理部２０３は、例えば、特定した呼について、ピックアップ要求信号に含まれる着信側端末４００の電話番号に基づいて、該当する着信側端末４００を特定し、特定した着信側端末４００に対する着信取消信号を生成する。これにより、ピックアップ切替処理部２０３は、生成した着信取消信号を、呼処理部２０２と信号送信部２０５を介して、特定した着信側端末４００に送信することができる（Ｓ２４）。
【００８５】
図６に戻り、着信取消信号を受信した着信側端末４００は、着信取消処理や超音波出力停止処理などを行い（Ｓ２５）、着信取消信応答信号をＰＢＸ２００に送信することができる（Ｓ２６）。
【００８６】
例えば、図８に表わされるように、着信側端末４００の信号受信部１０１は着信取消信号を受信し（Ｓ２４）、着信処理部１０２に出力する。着信処理部１０２は、例えば、着信取消信号を入力すると、着信鳴動部１０４に対して、鳴動を停止するよう指示する。着信音鳴動部１０４は、この指示に基づいて、着信音を停止することができる。
【００８７】
また、超音波出力部１０６は、信号受信部１０１で受信した着信取消信号を、着信処理部１０２、エンコード部１０５を介して入力することができ、このとき、出力している超音波（Ｓ１８）を停止することができる。
【００８８】
さらに、取消処理部１０３も、信号受信部１０１で受信した着信取消信号について着信処理部１０２を介して入力することができ、このとき、例えば、表示部に表示されている発信側端末１００の電話番号の表示を取消すことができる。
【００８９】
信号送信部１１４は、例えば、取消処理部１０３や超音波出力部１０６、着信音鳴動部１０４から、着信取消信号に対応する処理が行われた旨の通知を受けることができ、この通知を受けたときに着信取消信号（Ｓ２４）に対応する着信取消応答信号を生成することができる。生成された着信取消応答信号は、信号送信部１１４からＰＢＸ２００に送信される（Ｓ２６）。
【００９０】
図６に戻り、ピックアップ端末３００は、ピックアップ要求応答信号をＰＢＸ２００から受信すると、確認信号をＰＢＸ２００に送信することができる（Ｓ２７）。例えば、図８に表わされるように、ピックアップ端末３００の信号受信部１０１は、ＰＢＸ２００からピックアップ要求応答信号を受信すると（Ｓ２３）、発信処理部１１５を介して、ピックアップ通話開始処理部１１６に出力することができる。ピックアップ通話開始処理部１１６は、ピックアップ要求応答信号を入力すると、確認信号を生成し、ピックアップ通話開始処理を行う。ピックアップ通話開始処理部１１６は、生成した確認信号を、発信処理部１１５を介して信号送信部１１４に出力することができる。信号送信部１１４は、例えば、ピックアップ要求応答信号に対する確認信号をＰＢＸ２００に送信することができる（Ｓ２７）。
【００９１】
図６に戻り、ＰＢＸ２００は、ピックアップ端末３００から確認信号を受信し、着信側端末４００から信号取消応答信号を受信すると、発信側端末１００に対して、確認信号を送信する（Ｓ２８）。例えば、図８に表わされるように、ＰＢＸ２００の信号受信部２０１は、信号取消応答信号と確認信号を受信すると、呼処理部２０２を介して、ピックアップ切替完了処理部２０４に２つの信号を出力することができる。又は、信号受信部２０１は信号取消応答信号と確認信号を受信すると、呼処理部２０２を介して、２つの信号を受信した旨を通知することもできる。ピックアップ切替完了処理部２０４は、２つの信号を受信又はその旨の通知を受けたとき、確認信号を生成し、呼処理部２０２を介して信号送信部２０５に出力することができる。確認信号は信号送信部２０５から発信側端末１００に送信される（Ｓ２８）。
【００９２】
図６に戻り、発信側端末１００は、確認信号を受信すると（Ｓ２８）、音声信号の送信又は受信を開始することができる（Ｓ２９）。また、ピックアップ端末３００も音声信号の送信又は受信を開始することができる（Ｓ３０）。これにより、発信側端末１００とピックアップ端末３００は通話を行うことができる（Ｓ３１）。
【００９３】
例えば、図８に表わされるように、発信側端末１００の信号受信部１０１は、確認信号を受信すると、着信処理部１０２を介して通話開始処理部１０７に確認信号を出力することができる。通話開始処理部１０７は、確認信号を入力したとき、通話処理を開始することができる。例えば、通話開始処理部１０７は、マイクロフォンから入力された音声信号に対して、誤り訂正符号化処理や変調処理などを施して無線信号として、ＰＢＸ２００を介してピックアップ端末３００に送信することができる。また、通話開始処理部１０７は、ＰＢＸ２００を介してピックアップ端末３００から受信した無線信号に対して復調処理や誤り訂正復号化処理などを施して、音声信号に復調することもできる。
【００９４】
ピックアップ端末３００側は、ピックアップ通話開始処理部１１６により、マイクロフォンなどから入力された音声信号に対して、誤り訂正符号化処理などが施されて無線信号として発信側端末１００に送信することができる。また、ピックアップ通話開始処理部１１６により、発信側端末１００から送信された無線信号に対して復調処理などを施して、音声信号が抽出されて、スピーカから音声が出力されることができる。
【００９５】
このように本第２の実施の形態では、着信側端末４００宛ての着信が超音波を受信することのできる範囲内に位置するピックアップ端末３００であれば、当該ピックアップ端末３００は、着信側端末４００宛ての着信をピックアップして、通話することができる。従って、ＰＢＸ２００においてピックアップグループの登録が行われなくても、ピックアップ端末３００は近傍の端末４００宛ての着信をピックアップすることが可能となる。よって、ＰＢＸ２００においてもピックアップグループの登録変更が不要となる。
【００９６】
また、ピックアップ端末３００が他のＰＢＸにおいてピックアップグループに登録されているときに、当該ＰＢＸの通信可能範囲外に移動した場合でも、ピックアップ端末３００は着信側端末４００の超音波を受信できれば、近傍の端末４００宛ての着信をピックアップできる。よって、ピックアップ端末３００はピックアップグループの範囲外に移動してもコールピックアップサービスの提供を受けることができる。
【００９７】
さらに、ピックアップ端末３００は、複数の着信音が鳴動することで近傍の端末４００宛ての着信が特定できないときでも、ピックアップボタンを点滅表示させるようにしているため、着信呼を特定できる。よって、ピックアップ端末３００は、近傍の端末４００宛ての着信呼に応答することができ、又は、応答に遅れることもなくなる。
【００９８】
さらに、ピックアップ端末３００は超音波出力部１０６を備え、着信側端末４００は超音波受信部１０８を備えている。よって、ピックアップ端末３００宛ての着信が発生したときも超音波出力部１０６からエンコードされた着信情報が超音波により送信され、着信側端末４００の超音波受信部１０８において着信情報を受信することができる。この場合の着信情報は、例えば、ピックアップ端末３００の電話番号が含まれる。そして、着信側端末４００においてピックアップ操作が行われると、ＰＢＸ２００にピックアップ要求信号が送信される。ＰＢＸ２００では、ピックアップ端末３００宛ての呼を特定し、ピックアップ端末３００に着信取消信号、着信側端末４００にピックアップ応答要求信号をそれぞれ送信することができる。これにより、着信側端末４００は、ピックアップ端末３００に代わり、発信側端末１００と通話を行うことができる。よって、ピックアップ端末３００は、ピックアップグループとして登録されたＰＢＸと通信可能範囲外に移動したとき、移動先においてピックアップ端末３００についての着信が発生したときでも、近傍の着信側端末４０は当該着信をピックアップすることができる。
【００９９】
［第３の実施の形態］
次に第３の実施の形態について説明する。第２の実施の形態では、ピックアップグループなどのデータを登録しなくてもピックアップできる例について説明した。本第３の実施の形態では、登録されたピックアップグループと併用する例について説明する。図１２は本第３の実施の形態における端末３００，４００（本第３の実施の形態でも、特に断らない限り端末３００として説明する）の構成例、図１３はＰＢＸ２００の構成例、図１４はピックアップグループの例、図１５はシーケンス例をそれぞれ表わす図である。
【０１００】
端末３００は、図１２に表わされるように、さらに、ピックアップグループ情報記憶部１２０を備える。ピックアップグループ情報記憶部１２０は、ＰＢＸ２００から送信された登録応答信号に含まれるピックアップグループＩＤを信号受信部１０１と着信処理部１０２を介して入力すると、当該ピックアップグループＩＤを記憶することができる。ピックアップグループ情報記憶部１２０は、例えば、メモリである。この場合、着信処理部１０２は、登録応答信号を入力すると、登録応答信号からピックアップグループＩＤを抽出し、ピックアップグループ情報記憶部１２０に出力して記憶させることができる。
【０１０１】
また、ＰＢＸ２００は、図１３に表わされるように、さらに、ピックアップグループ情報データベース（ＤＢ）２２０を備える。ピックアップグループ情報ＤＢ２２０は、端末３００がどのピックアップグループに属するかについての情報が記憶されたデータベースである。
【０１０２】
図１４はピックアップグループ情報ＤＢ２２０の構成例を表わす図である。ピックアップグループのグループＩＤごとに端末３００の電話番号（又は識別番号）が登録される。例えば、ＰＢＸ２００の管理者により予めピックアップグループ情報ＤＢ２２０に端末３００がどのピックアップグループに属するかが登録されることができる。
【０１０３】
次に、本第３の実施の形態における動作例について図１５を参照して説明する。
【０１０４】
最初に、ＰＢＸ２００はピックアップグループＩＤの登録を受け付ける（Ｓ４０）。例えば、ピックアップ処理部２０３は、ＰＢＸ２００に登録される端末データとして、その端末３００，４００が属するピックアップグループを受け付け、受け付けたピックアップグループをピックアップグループ情報ＤＢ２２０に登録することができる。例えば、管理者などの操作により、着信側端末４００の電話番号と当該端末４００が属するピックアップグループの情報とを受け付け、これをピックアップグループ情報ＤＢ２２０に記憶することで、登録を受け付けることができる。
【０１０５】
次いで、着信側端末４００の電源がＯＮになると（Ｓ４１）、登録信号を送信する（Ｓ４２）。例えば、着信側端末４００の発信処理部１１５は、着信側端末４００の電源ＯＮを検知することができ、電源ＯＮを検知すると、登録信号を生成し、信号送信部１１４を介してＰＢＸ２００に登録信号を送信することができる。登録信号の送信は、例えば、着信側端末４００の電源がＯＮになったことをＰＢＸ２００に通知することを表わしており、着信側端末４００は登録信号に自局の電話番号を含ませて、ＰＢＸ２００に送信することができる。
【０１０６】
次いで、ＰＢＸ２００は、登録信号の受信により端末４００が電源ＯＮしたことを検知すると、その端末４００が属するピックアップグループのグループＩＤを端末４００に通知する（Ｓ４３）。例えば、ＰＢＸ２００のピックアップ切替処理部２０３は、信号受信部２０１、呼処理部２０２を介して、着信側端末４００から登録信号を入力すると、着信側端末４００の電源ＯＮを検知することができる。そして、ピックアップ切替処理部２０３は、登録信号に含まれる着信側端末４００の電話番号をキーにして、ピックアップグループ情報ＤＢ２２０を検索する。ピックアップ切替処理部２０３は、ピックアップグループ情報ＤＢ２２０から着信側端末４００のピックアップグループのグループＩＤを読み出して、当該グループＩＤを含む登録応答信号を生成する。ピックアップ切替処理部２０３は、登録信号に含まれる着信側端末４００の電話番号に基づいて、生成した登録応答信号を、呼処理部２０２と信号送信部２０５を介して着信側端末４００に送信することができる。
【０１０７】
着信側端末４００は、登録応答信号を受信すると、登録応答信号に含まれるピックアップグループのグループＩＤを記憶する（Ｓ４４）。例えば、着信側端末４００の着信処理部１０２は、登録応答信号を、信号受信部１０１を介して入力すると、ヘッダ情報などから登録応答信号であることを検知し、登録応答信号に含まれるピックアップグループのグループＩＤを抽出することができる。そして、着信処理部１０２は抽出したグループＩＤをピックアップグループ情報記憶部１２０に出力することで、ピックアップグループ情報記憶部１２０において、着信側端末４００の属するピックアップグループのグループＩＤが記憶される。
【０１０８】
ピックアップ端末３００においても着信側端末４００と同様に、電源をＯＮにすると（Ｓ４５）、登録信号をＰＢＸ２００に送信する（Ｓ４６）。
【０１０９】
また、ＰＢＸ２００は、ピックアップ端末３００の属するピックアップグループのグループＩＤをピックアップグループ情報ＤＢ２２０から検索して、登録応答信号に含めてピックアップ端末３００に送信する（Ｓ４７）。ピックアップ端末３００はＰＢＸ２００から受信したグループＩＤをピックアップグループ情報記憶部１２０に記憶する（Ｓ４８）。
【０１１０】
以後、発信側端末１００が発信信号をＰＢＸ２００に送信し（Ｓ１１）、着信側端末４００は着信信号を受信し（Ｓ１３）、着信音を鳴動するまでは第２の実施の形態と同様に動作することができる。
【０１１１】
着信側端末４００は、受信した着信信号から着信情報を抽出し、さらに、ピックアップグループ情報記憶部１２０からグループＩＤを読み出す。そして、着信側端末４００は、着信情報とグループＩＤとをコード化し、コード化された着信情報とグループＩＤとを超音波により出力する（Ｓ１４’）。例えば、着信側端末４００のエンコード部１０５は、着信処理部１０２から着信情報を受け取ると、ピックアップグループ情報記憶部１２０から自局のグループＩＤを読み出し、着信情報とグループＩＤとをコード化する。
【０１１２】
図５（Ｂ）は着信情報とグループＩＤとをコード化する直前の状態の例を表わす図である。第２の実施の形態（例えば図５（Ａ））と同様に、「ｓ０」から「ｓ１５」は着信側端末４００の電話番号、「ｄ０」から「ｄ１５」は発信側端末１００の電話番号を表わしている。本第３の実施の形態では、さらに、「ｇ０」から「ｇ７」がグループＩＤを表わしている。エンコード部１０５は、これらの３つの情報の各桁を順番にすることで１行にし、各桁をアスキーコードなどでコード化することができる。エンコード部１０５は、例えば、コード化した着信情報とグループＩＤとを超音波出力部１０６に出力し、超音波出力部１０６は着信情報とグループＩＤとを超音波出力することができる。
【０１１３】
図１５に戻り、ピックアップ端末３００は、超音波を受信すると、着信情報とグループＩＤとを復調し、着信情報からピックアップ対象の電話番号（着信側端末４００の電話番号）を取得する。そして、ピックアップ端末３００は、超音波から復調したピックアップグループのグループＩＤと、ＰＢＸ２００から通知を受けたピックアップグループのグループＩＤとを比較する（Ｓ１９’）。例えば、ピックアップ対象番号表示部１１０は、デコード部１０９でデコードされたグループＩＤと、ピックアップグループ情報記憶部１２０に記憶されたグループＩＤとを比較することができる。そして、ピックアップ対象番号表示部１１０は、２つのグループＩＤが一致しないとき、以降の処理を行わない。一方、ピックアップ対象番号表示部１１０は、２つのグループＩＤが一致するとき、デコード部１０９から入力したグループＩＤを表示し、ピックアップボタン点滅部１１１に点滅を指示することができる。以降の処理は第２の実施の形態と同様である。
【０１１４】
このように、本第３の実施の形態では、ピックアップ端末３００は着信側端末４００から着信情報を超音波で受信しても、着信側端末４００と同一のピックアップグループでなれければ、着信側端末４００の着信をピックアップすることができない。従って、ピックアップグループの登録と併用することで、ピックアップ可能なピックアップ端末３００を制限することも可能となる。なお、本第３の実施の形態においても第２の実施の形態における効果を奏することもできる。
【０１１５】
［第４の実施の形態］
次に第４の実施の形態について説明する。第４の実施の形態は、ピックアップ端末３００や着信側端末４００について登録されたアクセスポイント配下の場合と、そうでない場合とで、超音波出力レベルなどを変化させることで、ピックアップ可能な範囲を変化させる例である。図１６は本第４の実施の形態におけるＰＢＸ２００の構成例を表わし、図１７は本第４の実施の形態におけるシーケンス例を表わしている。なお、端末３００の構成例は第２の実施の形態と同様である（例えば図３）。本第４の実施の形態においても、端末３００，４００について、とくに断らない限り、端末３００として説明する。
【０１１６】
ＰＢＸ２００は、さらに、端末基本位置管理部２３０と端末位置把握部２３１とを備える。
【０１１７】
端末基本位置管理部２３０には、例えば、端末３００がアクセスポイントで無線通信を行う場合のアクセスポイント識別子（ホームＡＰＩＤ（Access Pont ID））が端末３００ごとに登録されている。
【０１１８】
端末位置把握部２３１は、信号受信部２０１からの通知情報に基づいて、端末３００がどのアクセスポイントを利用して無線通信を行っているかを検知することができる。例えば、信号受信部２０１内の第１のアンテナは、第１のアクセスポイント２１０に属し、第２のアンテナは第２のアクセスポイント２１５に属している場合を考える。例えば、信号受信部２０１は、端末３００から登録信号などを受信したときに、第１のアンテナで受信したときは第１のアクセスポイント２１０、第２のアンテナで受信したときは第２のアクセスポイント２１５で受信したことを検知することができる。そして、信号受信部２０１は、通知情報を生成し、呼処理部２０２を介して端末位置把握部２３１に出力することができる。通知情報には、例えば、登録信号などを受信したアクセスポイント２１０，２１５に関する情報と、登録信号などに含まれる端末３００の電話番号（又は識別番号）が含まれる。端末位置把握部２３１は、通知情報に基づいて、端末１００がどのアクセスポイント２１０，２１５を利用して無線通信を行っているかを検知することができる。
【０１１９】
そして、端末位置把握部２３１は、通信情報により通知されたアクセスポイント２１０，２１５と、ホームＡＰＩＤとを比較して、一致するときは、当該端末３００に対して超音波出力レベルと検知レベルを閾値よりも上げるよう指示する。一方、端末位置把握部２３１は、通知されたアクセスポイント２１０，２１５とホームＡＰＩＤとが一致しないとき、超音波出力レベルと検知レベルを閾値以下とするように指示することができる。
【０１２０】
図１７は本第４の実施の形態におけるシーケンス例を表わす図である。最初にＰＢＸ２００において、端末３００，４００ごとに、端末３００，４００に対するホームＡＰＩＤの登録が行われる（Ｓ５０）。登録されたホームＡＰＩＤは、端末基本位置管理部２３０に登録される。
【０１２１】
次いで、着信側端末４００又はピックアップ端末３００はＰＢＸ２００にアクセスして、無線通信を開始する。このとき、着信側端末４００とピックアップ端末３００は、例えば、登録信号を送信し、信号受信部２０１により登録信号を受信したアクセスポイント２１０，２１５が検知される。
【０１２２】
次いで、信号受信部２０１は、検知したアクセスポイントを含む検知情報を端末位置把握部２３１に出力する（Ｓ５１）。
【０１２３】
そして、端末位置把握部２３１は、検知情報に含まれるアクセスポイント２１０，２１５が例えば端末３００，４００が現在無線通信を行っているアクセスポイント２１０，２１５を検知し、このアクセスポイント２１０，２１５がホームＡＰＩＤと一致するかを検知する（Ｓ５２）。
【０１２４】
次いで、ＰＢＸ２００は、通知情報に含まれる端末３００，４００のアクセスポイント２１０，２１５がホームＡＰＩＤと一致するときは、超音波の出力レベルと検出レベルを閾値よりも上げるように指示する超音波感度変更指示を端末３００，４００に送信する（Ｓ５３）。
【０１２５】
一方、ＰＢＸ２００は、通信情報に含まれる端末３００，４００のアクセスポイント２１０，２１５がホームＡＰＩＤと一致しないときは、超音波の出力レベルと検出レベルを閾値よりも上げるよう指示する超音波変更指示を端末３００，４００に送信する（Ｓ５３）。
【０１２６】
超音波感度変更指示を受信した端末３００，４００は、例えば、超音波出力部１０６は、信号受信部１０１などを介して受信した超音波感度変更指示に対応するように超音波の出力レベルを変更する。また、例えば、超音波受信部１０８も、着信処理部１０２において超音波感度変更指示を受けたとき、検出レベルを変更するよう超音波受信部１０８に指示することで検出レベルの変更が行われる。
【０１２７】
本第４の実施の形態では、着信側端末４００とピックアップ端末３００とが登録されたアクセスポイント配下でコールピックアップサービスの提供を受けるときは、閾値以上の超音波出力レベルと検出レベルで超音波の送受信を行うことができる。よって、端末３００，４００は本第４の実施の形態が実施されない場合と比較して、広範囲においてコールピックアップサービスの提供を受けることができるようになる。なお、本第４の実施の形態においても、第２の実施の形態における効果を奏することができる。
【０１２８】
［その他の実施の形態］
次にその他の実施の形態について説明する。
【０１２９】
図１８は端末３００（本例を含む以下の実施の形態においても、端末３００，４００についてとくに断らない限り、端末３００として説明する）の他の構成例、図１９はＰＢＸ２００の他の構成例をそれぞれ表わす図である。図１８と図１９は、例えば、端末３００とＰＢＸ２００のハードウェアの構成例をそれぞれ表わしている。
【０１３０】
端末３００は、アンテナ１５０、無線インターフェース１５１、ＣＰＵ１５２、メモリ１５３、ＬＣＤ１５４、操作ボタン１５５、ＤＳＰ（Digital Signal Processor）１５６、着信音スピーカ１５７、無指向性超音波スピーカ１５９、無指向性超音波マイクロフォン１６１を備える。
【０１３１】
例えば、第２の実施の形態における端末３００の信号受信部１０１と信号送信部１１４は、アンテナ１５０と無線インターフェース１５１に対応する。また、第２の実施の形態における着信処理部１０２、取消処理部１０３、エンコード部１０５、通話開始処理部１０７、デコード部１０９、ピックアアップ操作検知部１１２、ピックアップ信号生成部１１３、発信処理部１１５、ピックアップ通話開始処理部１１６は、例えば、ＣＰＵ１５２に対応する。さらに、第２の実施の形態における超音波出力部１０６は、例えば、ＤＳＰ１５６と無指向性超音波スピーカ１５９に対応する。さらに、第２の実施の形態における超音波受信部１０８は、例えば、ＤＳＰ１５６と無指向性超音波マイクロフォン１６１に対応する。さらに、第２の実施の形態におけるピックアップ対象番号表示部１１０は、例えば、ＬＣＤ１５４に対応する。さらに、第２の実施の形態におけるピックアップボタン点滅部１１１は、例えば、操作ボタン１５５に対応する。
【０１３２】
また、第１の実施の形態における超音波出力部７１０は、例えば、アンテナ１５０と無線インターフェース１５１、ＣＰＵ１５２、ＤＳＰ１５６、及び無指向性超音波スピーカ１５９に対応する。
【０１３３】
一方、ＰＢＸ２００は、アンテナ２５０、無線インターフェース２５１、ＣＰＵ２５２、メモリ２５３を備える。第２の実施の形態における信号受信部２０１と信号送信部２０５は、例えば、アンテナ２５０と無線インターフェース２５１に対応する。また、第２の実施の形態における呼処理部２０２、ピックアップ切替処理部２０３、及びピックアップ切替完了処理部２０４は、例えば、ＣＰＵ２５２に対応する。
【０１３４】
また、上述した第２の実施の形態などにおいて、端末３００は、着信信号を受けると着信音を鳴動して、すぐに着信情報を含む超音波を送信する例について説明した。例えば、端末３００は、着信音を鳴動させた後で超音波を送信するようにしてもよい。超音波出力のディレイ送信により、着信側端末４００の利用者が着信に出るつもりの呼までピックアップされることを防止することができる。例えば、超音波出力部１０６は、エンコード部１０５から着信情報を入力した後、所定期間経過後に超音波を出力することができる。
【０１３５】
さらに、例えば、複数の着信側端末４００がそれぞれ超音波出力を同時に送信する場合、超音波の衝突などにより、ピックアップ端末３００はそれぞれの着信をピックアップできない場合もある。そこで、複数の着信側端末４００は、超音波出力の出力間隔をランダムな間隔で送信するようにすることもできる。例えば、超音波出力部１０６は、乱数生成部を保持し、生成された乱数に対応する間隔で、超音波出力を繰り返すようにすることで実施することが可能である。これにより、ピックアップ端末３００は、複数の着信側端末４００からの着信をそれぞれピックアップすることも可能となる。
【０１３６】
さらに、例えば、ピックアップ端末３００は複数の着信情報を超音波で受信したとき、ディスプレイにピックアップ可能な呼をそれぞれ表示させることもできる。図９（Ｂ）は２つのピックアップ可能な呼がピックアップ端末３００のピックアップ対象番号表示部１１０に表示されている例である。ピックアップ端末３００の操作ボタンが操作されることで、いずれかの呼が選択され、選択された呼に対してピックアップが行われる。図９（Ｃ）はピックアップ可能な呼が電話番号ではなく、名前で表示される例である。例えば、ピックアップ対象番号表示部１１０は、電話番号と電話番号に対応する名前とを記憶するテーブルを保持し、着信情報に含まれる発着番号に対して、当該テーブルから対応する名前を読み出して、表示させることができる。
【０１３７】
さらに、例えば、着信側端末４００は、ピックアップ端末３００にピックアップされないようにすることもできる。例えば、着信側端末４００の超音波出力部１０６は、着信情報をエンコード部１０５から受け取っても、超音波を送信しないようにすることもできる。或いは、ＰＢＸ２００は着信信号を送信するとき（例えば図６のＳ１３）、着信信号にピックアップのための超音波出力が行われないことを示す情報を含ませることができる。当該情報を受信した着信側端末４００は、例えば、着信処理部１０２において当該情報を確認すると超音波出力部１０６に超音波出力をしないように指示することもできる。
【０１３８】
さらに、第２の実施の形態などでは、着信側端末４００は超音波により着信情報を送信する例について説明した。着信側端末４００は、超音波以外にも、例えば、可聴音や電波、赤外線などにより着信情報を送信するようにしてもよい。可聴音や電波、赤外線などで送信する場合でも、着信側端末４００は、着信情報をそれぞれの周波数帯域で送信できるように変調処理を施すことで、着信情報を可聴音、電波、赤外線などに変換して送信することができる。このような超音波や可聴音、電波、赤外線などは、例えば、無線媒体であって、着信側端末４００は無線により着信情報を送信することができる、ということができる。
【０１３９】
さらに、例えば、着信側端末４００は電源ＯＮで登録信号をＰＢＸ２００に送信するとき（例えば図１５のＳ４２）、自局の超音波出力レベルをＰＢＸ２００に送信することもできる。ＰＢＸ２００は、複数の着信側端末４００それぞれの超音波出力レベル、さらに、超音波出力レベルからピックアップ通知可能範囲などを導くことができ、複数の着信側端末４００を集中管理することもできる。
【０１４０】
さらに、第３の実施の形態において、ピックアップグループの登録と併用する例について説明した。例えば、端末３００，４００の利用者が共通のＩＤを端末３００，４００に登録し、着信側端末４００の着信は、着信側端末４００と共通のＩＤが登録されたピックアップ端末３００でピックアップが可能となる。例えば、着信側端末４００は、共通ＩＤを含む着信情報を超音波で送信する。ピックアップ端末３００は、登録された共通のＩＤと、超音波で受信した共通ＩＤとが一致するとピックアップ可能とすることができる。
【０１４１】
さらに、上述した各実施例において、発信信号（Ｓ１３）には、例えば、発信側端末１００と着信側端末４００の電話番号が含まれる例を説明した。また、着信情報についても、例えば、これらの電話番号が含まれる例を説明した。ピックアップ要求信号（Ｓ２１）についても、例えば、着信側端末４００の電話番号が含まれる例について説明した。これらについて、電話番号に代えて、各端末１００，４００のＩＰアドレスや各端末１００，４００の所有者情報などの識別情報とすることもできる。例えば、ピックアップ端末３００は超音波により着信情報を受けたとき、着信側端末４００がどの端末であるかを識別できればよく、電話番号に代えて他の識別情報とすることもできる。また、例えば、ＰＢＸ２００は、ピックアップにより着信取消対象の着信側端末４００を特定すればよいため、例えば、電話番号に代えて他の識別情報とすることもできる。
【０１４２】
以上まとめると付記のようになる。
【０１４３】
（付記１）
通話を要求する発信信号が第１の端末装置から送信されて、呼制御装置において受信された前記発信信号が着信信号に変換されて、前記呼制御装置から無線により送信された前記着信信号を受信する端末装置において、
前記着信信号を受信したとき、前記着信信号に含まれる前記端末装置の識別情報を含む着信情報を、前記端末装置に代わり前記第１の端末装置と通話を行う第２の端末装置に対して超音波により出力する超音波出力部
を備えることを特徴とする端末装置。
【０１４４】
（付記２）
前記着信情報は、前記発信信号を送信した前記第１の端末装置の識別情報が含まれることを特徴とする付記１記載の端末装置。
【０１４５】
（付記３）
前記識別情報は電話番号であることを特徴とする付記１記載の端末装置。
【０１４６】
（付記４）
更に、前記第１の着信情報をコード化し、コード化された前記着信情報を前記出力部に出力するエンコード部を備えることを特徴とする付記１記載の端末装置。
【０１４７】
（付記５）
前記超音波出力部は、前記着信情報と、前記呼制御装置から送信されて、前記端末装置の属する第１のピックアップグループのグループＩＤと、を超音波により出力することを特徴とする付記１記載の端末装置。
【０１４８】
（付記６）
前記超音波出力部は、前記端末装置が無線通信を行っているアクセスポイントが前記呼制御装置において登録されたアクセスポイントと一致しているとき、前記超音波出力部からの超音波出力レベルを上げ、一致していないとき超音波出力レベルを下げることを特徴とする付記１記載の端末装置。
【０１４９】
（付記７）
更に、着信音を鳴動する着信音鳴動部を備え、
前記着信音鳴動部は前記着信信号を受信したとき着信音を鳴動し、その後、前記超音波出力部は前記着信情報を超音波により出力することを特徴とする付記１記載の端末装置。
【０１５０】
（付記８）
前記超音波出力部は前記着信情報を繰り返し超音波により出力するとき、ランダムな出力間隔で出力することを特徴とする付記１記載の端末装置。
【０１５１】
（付記９）
前記超音波出力部は、前記着信信号を受信したとき超音波出力を行わないことを特徴とする付記１記載の端末装置。
【０１５２】
（付記１０）
前記超音波出力部は、前記着信情報と、前記呼制御装置から送信されて、前記第２の端末装置の属するグループで共通に使用される第１の共通ＩＤとを超音波により出力することを特徴とする付記１記載の端末装置。
【０１５３】
（付記１１）
前記超音波出力部は、前記超音波出力に代えて、可聴音、可聴音、赤外線、又は電波により前記着信情報を出力することを特徴とする付記１記載の端末装置。
【０１５４】
（付記１２）
第１の端末装置の第２の端末装置宛ての着信をピックアップして前記第２の端末装置に代わり前記第１の端末装置と通話を行う端末装置において、
前記第２の端末装置から超音波により送信された、前記第２の端末装置の識別情報を含む着信情報を受信する超音波受信部と、
前記着信情報を受信したとき、前記第２の端末装置に代わり前記第１の端末装置と通話を行うことを要求するピックアップ要求信号を呼制御装置に無線により送信する信号送信部と
を備えることを特徴とする端末装置。
【０１５５】
（付記１３）
更に、前記超音波受信部により受信した前記着信情報をデコード化するデコード部を備えることを特徴とする付記１２記載の端末装置。
【０１５６】
（付記１４）
更に、ピックアップボタンを備え、
前記超音波受信部は、前記着信情報を受信したとき、前記ピックアップボタンを点滅させることを特徴とする付記１２記載の端末装置。
【０１５７】
（付記１５）
更に、ピックアップ操作検出部を備え、
前記ピックアップ操作検出部は、前記ピックアップボタンの押下を検出したとき、前記ピックアップ要求信号を生成して出力するよう前記信号送信部に指示することを特徴とする付記１４記載の端末装置。
【０１５８】
（付記１６）
更に、前記端末装置の属するピックアップグループＩＤを記憶するピックアップグループ情報記憶部を備え、
前記超音波受信部は、前記着信情報とピックアップグループＩＤとを受信し、
前記信号送信部は、前記ピックアップグループ情報記憶部に記憶されたピックアップグループＩＤと、前記超音波受信部で受信したピックアップグループＩＤとが一致するとき前記ピックアップ要求信号を送信し、一致しないとき前記ピックアップ要求信号を送信しないことを特徴とする付記１２記載の端末装置。
【０１５９】
（付記１７）
更に、前記超音波受信部で受信した前記着信情報に基づいて、前記端末装置に代わり前記第１の端末装置と通話を行う１又は複数の呼を表示するピックアップ対象番号表示部を備えることを特徴とする付記１２記載の端末装置。
【０１６０】
（付記１８）
第１の端末装置から送信され、第２の端末装置に通話を要求する発信信号を受信して、前記発信信号を着信信号に変換し、変換された前記着信信号を無線により前記第２の端末装置に送信する呼制御装置において、
前記第２の端末装置から超音波により出力された着信情報を受信した第３の端末装置から、前記第２の端末装置に代わり前記第１の端末装置と通話を要求するピックアップ要求信号を無線により受信する信号受信部と、
前記ピックアップ要求信号に対して、前記第３の端末装置に対して前記第２の端末装置に代えて前記第１の端末装置との通話を許可するピックアップ要求応答信号を送信し、前記第２の端末装置に対して前記着信信号の受信を取消す着信取消信号を無線により送信する信号送信部と
を備えることを特徴とする呼制御装置。
【０１６１】
（付記１９）
第１の端末装置と、第２の端末装置と、前記第１の端末装置から送信されて前記第２の端末装置との通話を要求する発信信号を受信して、前記発信信号を着信信号に変換し、変換された前記着信信号を前記第２の端末装置に無線により送信する呼制御装置と、前記第２の端末装置に代わり前記第１の端末装置と通話を行う第３の端末装置とを備える通信システムにおいて、
前記第２の端末装置は、前記着信信号を受信したとき、前記着信信号に含まれる前記第２の端末装置の識別情報を含む着信情報を超音波により出力する超音波出力部を備え、
前記第３の端末装置は、前記第２の端末装置から超音波により送信された前記着信情報を受信する超音波受信部と、前記着信情報を受信したとき、前記第２の端末装置に代わり前記第１の端末装置と通話を行うことを要求するピックアップ要求信号を前記呼制御装置に無線により送信する第１の信号送信部とを備え、
前記呼制御装置は、前記ピックアップ要求信号を受信したとき、前記第３の端末装置に対して前記第２の端末装置に代えて前記第１の端末装置との通話を許可するピックアップ要求応答信号を無線により送信し、前記第２の端末装置に対して前記着信信号の受信を取消す着信取消信号を無線により送信する第２の信号送信部を備えることを特徴とする通信システム。
【０１６２】
（付記２０）
第１の端末装置と、第２の端末装置と、前記第１の端末装置から無線により送信されて前記第２の端末装置との通話を要求する発信信号を受信して、前記発信信号を着信信号に変換し、変換された前記着信信号を前記第２の端末装置に無線により送信する呼制御装置と、前記第２の端末装置に代わり前記第１の端末装置と通話を行う第３の端末装置とを備える通信システムにおける着信応答方法であって、
前記第２の端末装置により、前記着信信号を受信したとき、前記着信信号に含まれる前記第２の端末装置の識別情報を含む着信情報を超音波により出力し、
前記第３の端末装置により、前記第２の端末装置から超音波により送信された前記着信情報を受信し、前記着信情報を受信したとき、前記第２の端末装置に代わり前記第１の端末装置と通話を行うことを要求するピックアップ要求信号を前記呼制御装置に無線により送信し、
前記呼制御装置により、前記ピックアップ要求信号を受信したとき、前記第３の端末装置に対して前記第２の端末装置に代えて前記第１の端末装置との通話を許可するピックアップ要求応答信号を無線により送信し、前記第２の端末装置に対して前記着信信号の受信を取消す着信取消信号を無線により送信することを特徴とする着信応答方法。
【符号の説明】
【０１６３】
１０：通信システム                    １００：発信側端末
１０１：信号受信部                    １０２：着信処理部
１０４：着信音鳴動部                  １０５：エンコード部
１０６：超音波出力部                  １０８：超音波受信部
１０９：デコード部                    １１０：ピックアップ対象番号表示部
１１１：ピックアップボタン点滅部      １１２：ピックアップ操作検知部
１１３：ピックアップ信号生成部        １１４：信号送信部
１１５：発信処理部                    １２０：ピックアップグループ情報記憶部
１５２：ＣＰＵ                        ２００：ＰＢＸ
２０１：信号受信部                    ２０２：呼処理部
２０３：ピックアップ切替処理部        ２０４：ピックアップ切替完了処理部
２０５：信号送信部                    ２２０：ピックアップグループ情報ＤＢ
２３０：端末基本位置管理部            ２５２：ＣＰＵ
３００：ピックアップ端末              ４００：着信側端末
【図１】
0005821561.tif 000002
【図２】
0005821561.tif 000003
【図３】
0005821561.tif 000004
【図４】
0005821561.tif 000005
【図５】
0005821561.tif 000006
【図６】
0005821561.tif 000007
【図７】
0005821561.tif 000008
【図８】
0005821561.tif 000009
【図９】
0005821561.tif 000010
【図１０】
0005821561.tif 000011
【図１１】
0005821561.tif 000012
【図１２】
0005821561.tif 000013
【図１３】
0005821561.tif 000014
【図１４】
0005821561.tif 000015
【図１５】
0005821561.tif 000016
【図１６】
0005821561.tif 000017
【図１７】
0005821561.tif 000018
【図１８】
0005821561.tif 000019
【図１９】
0005821561.tif 000020
【図２０】
0005821561.tif 000021